(57)【要約】【課題】  長尺の発光装置に使用する場合に、防水性に優れ、かつ、光源体の間隔や数を容易に変更することを可能とするソケット構造体を提供すること。【解決手段】  ソケット部と、ソケット部に対して着脱可能なブラケット部とを備え、ブラケット部は、突出方向に第１の貫通孔が形成された突出部を有し、ソケット部は、突出部に嵌合する凹部と、凹部に形成された第２の貫通孔とを有し、突出部と凹部との間には、Ｏリングが設けられており、第１の貫通孔と第２の貫通孔とＯリングとを連通させるように給電用ケーブルを挿通させることが可能であるソケット構造体。【選択図】  図１
2019046558.tif 000002
【特許請求の範囲】
【請求項１】
ソケット部と、
前記ソケット部に対して着脱可能なブラケット部と
を備え、
前記ブラケット部は、突出方向に第１の貫通孔が形成された突出部を有し、
前記ソケット部は、前記突出部に嵌合する凹部と、前記凹部に形成された第２の貫通孔とを有し、
前記突出部と前記凹部との間には、Ｏリングが設けられており、
前記第１の貫通孔と前記第２の貫通孔と前記Ｏリングとを連通させるように給電用ケーブルを挿通させることが可能であることを特徴とするソケット構造体。
【請求項２】
前記ソケット部には、電気部品に給電するための金具が設けられており、
前記金具は、前記第１の貫通孔と前記第２の貫通孔と前記Ｏリングとを連通させるように挿通される給電用ケーブルを、前記金具を構成する金属の弾性変形により挟み込むことを特徴とする請求項１に記載のソケット構造体。
【請求項３】
前記ソケット部の外周を覆うように設けられたアウターソケット部
を備え、
前記アウターソケット部は、電気部品を取り付けるための取付部を有しており、
前記取付部と前記金具とが前記アウターソケット部内において電気的に接続されており、
前記ソケット部と前記アウターソケット部との間に、Ｏリングが設けられていることを特徴とする請求項２に記載のソケット構造体。
【請求項４】
請求項３に記載のソケット構造体と、
前記取付部に交換可能に取り付けられた光源とを備えることを特徴とする光源体。
【請求項５】
前記光源を覆うカバー
を備え、
前記カバーと前記アウターソケット部との間に、Ｏリングが設けられていることを特徴とする請求項４に記載の光源体。
【発明の詳細な説明】
【技術分野】
【０００１】
本発明は、ソケット構造体、及び、光源体に関する。
【背景技術】
【０００２】
従来、複数のＬＥＤ発光球（光源体）が長尺のリード線で接続された発光装置（ＬＥＤイルミネーションシステム）が存在する（例えば、特許文献１）。このＬＥＤイルミネーションシステムは、例えばクリスマス用のイルミネーション等に、好適に使用できるものである。
【先行技術文献】
【特許文献】
【０００３】
【特許文献１】特開２０１５−９５４０１号公報
【発明の概要】
【発明が解決しようとする課題】
【０００４】
本発明者らは、このような長尺の発光装置においては、風雨にさらされる等の過酷な条件で使用されることも想定されるため、より高い防水性を備えることが好ましいと考えた。また、このような長尺の発光装置においては、取り付ける対象に応じて、現場において、光源体の間隔の変更や、数の変更を行いたいという要請もある。
【０００５】
本発明は上述した課題に鑑みてなされたものであり、その目的は、長尺の発光装置に使用する場合に、防水性に優れ、かつ、光源体の間隔や数を容易に変更することを可能とするソケット構造体、及び、当該ソケット構造体を備える光源体を提供することにある。
【課題を解決するための手段】
【０００６】
本願発明者等は、下記の構成を採用することにより、前記の課題を解決できることを見出して本発明を完成させるに至った。
【０００７】
すなわち、本発明に係るソケット構造体は、
ソケット部と、
前記ソケット部に対して着脱可能なブラケット部と
を備え、
前記ブラケット部は、突出方向に第１の貫通孔が形成された突出部を有し、
前記ソケット部は、前記突出部に嵌合する凹部と、前記凹部に形成された第２の貫通孔とを有し、
前記突出部と前記凹部との間には、Ｏリングが設けられており、
前記第１の貫通孔と前記第２の貫通孔と前記Ｏリングとを連通させるように給電用ケーブルを挿通させることが可能であることを特徴とする。
【０００８】
前記構成によれば、第１の貫通孔と第２の貫通孔とＯリングとを連通させるように給電用ケーブルを挿通させることが可能であるため、ソケット構造体の外部からソケット構造体内部に給電用ケーブルを着脱することが可能である。給電用ケーブルをソケット構造体に対して着脱可能であるため、複数の光源体（ソケット構造体を有する光源体）を接続する場合は、給電用ケーブルを所望の長さのものとした後、接続すればよい。また、複数の光源体の間隔を変更する際には、給電用ケーブルを外して長さを調整した後、再び装着すればよい。また、光源体の数を変更する際には、光源体や給電用ケーブルの数を増やしたり減らしたりした後、給電用ケーブルを再び装着すればよい。このように、前記構成によれば、光源体の間隔や数を容易に変更することを可能となる。
また、前記構成によれば、突出部と凹部との間にＯリングが設けられており、第１の貫通孔と第２の貫通孔とＯリングとを連通させるように給電用ケーブルを挿通させることが可能であるため、給電用ケーブルを挿通させた状態にすると、ソケット構造体の外部から、内部への水の浸入路が遮断される。従って、防水性に優れる。
【０００９】
前記構成において、前記ソケット部には、電気部品に給電するための金具が設けられており、
前記金具は、前記第１の貫通孔と前記第２の貫通孔と前記Ｏリングとを連通させるように挿通される給電用ケーブルを、前記金具を構成する金属の弾性変形により挟み込むことが好ましい。
【００１０】
前記金具を構成する金属の弾性変形により前記給電用ケーブルを挟み込めば、前記給電用ケーブルを前記金具に確実に接続することができる。
【００１１】
前記構成においては、前記ソケット部の外周を覆うように設けられたアウターソケット部
を備え、
前記アウターソケット部は、電気部品を取り付けるための取付部を有しており、
前記取付部と前記金具とが前記アウターソケット部内において電気的に接続されており、
前記ソケット部と前記アウターソケット部との間に、Ｏリングが設けられていることが好ましい。
【００１２】
ソケット部とアウターソケット部との間に、Ｏリングが設けられていると、ソケット部とアウターソケット部との接続部分から、内部への水の浸入路が遮断される。従って、ソケット構造体全体の防水性により優れる。また、アウターソケット部は、電気部品（例えば、光源としてのＬＥＤ）を取り付けるための取付部を有しているため、特に、取付部に水が接触することを抑制することができる。
【００１３】
また、本発明に係る光源体は、
前記に記載のソケット構造体と、
前記取付部に交換可能に取り付けられた光源とを備える。
【００１４】
前記構成によれば、前記に記載のソケット構造体を備えるため、長尺の発光装置に使用する場合に、防水性に優れ、かつ、光源体の間隔や数を容易に変更することが可能となる。
また、前記取付部に交換可能に光源が取り付けられているため、例えば、所望の色を発する光源に容易に変更することができる。また、光源に不具合が生じた場合（例えば、長期間使用による劣化等の場合）に容易に交換することができる。
【００１５】
前記構成において、前記光源を覆うカバー
を備え、
前記カバーと前記アウターソケット部との間に、Ｏリングが設けられていることが好ましい。
【００１６】
光源を覆うカバーを備え、カバーとアウターソケット部との間に、Ｏリングが設けられていると、カバーとアウターソケット部との接続部分から、内部への水の浸入路が遮断される。従って、光源体全体の防水性により優れる。
【発明の効果】
【００１７】
本発明によれば、長尺の発光装置に使用する場合に、防水性に優れ、かつ、光源体の間隔や数を容易に変更することを可能とするソケット構造体、及び、当該ソケット構造体を備える光源体を提供することができる。
【図面の簡単な説明】
【００１８】
【図１】本実施形態に係る光源体を模式的に示す正面図である。
【図２】図１に示した光源体の底面図である。
【図３】図１に示した光源体の斜視断面図である。
【図４】図１に示した光源体の全体分解斜視図である。
【図５】図１に示した光源体が備えるソケット部の斜視図である。
【図６】図５に示したソケット部の底面図である。
【図７】図５に示したソケット部の斜視断面図である。
【図８】図１に示した光源体が備えるアウターソケット部の斜視図である。
【図９】図１に示した光源体が備えるＬＥＤユニットの斜視図である。
【図１０】給電用ケーブルを挿通させる前の、ソケット部とブラケット部との位置関係を示す斜視図である。
【図１１】給電用ケーブルを挿通させた後の、ソケット部とブラケット部との位置関係を示す斜視図である。
【図１２】図１１の状態での光源体の断面図である。
【発明を実施するための形態】
【００１９】
以下、本実施形態に係るソケット構造体、及び、光源体について、図面を参酌しつつ、説明する。なお、本実施形態に係るソケット構造体は、光源体に備えられているものである。従って、以下では、光源体について説明し、ソケット構造体については、その中で説明することとする。
【００２０】
図１は、本実施形態に係る光源体を模式的に示す正面図であり、図２は、その底面図であり、図３は、その斜視断面図であり、図４は、その全体分解斜視図である。図５は、図１に示した光源体が備えるソケット部の斜視図であり、図６は、その底面図であり、図７は、その斜視断面図である。図８は、図１に示した光源体が備えるアウターソケット部の斜視図である。図９は、図１に示した光源体が備えるＬＥＤユニットの斜視図である。
【００２１】
図１、図３、図４に示すように、光源体１０は、ソケット構造体１２と、アウターソケット部６０と、ＬＥＤユニット８０と、カバー９０とを備える。図４に示すように、ソケット構造体１２は、筒状のソケット部４０と、ソケット部４０側に着脱可能なブラケット部２０とを有する。また、アウターソケット部６０は、ソケット部４０の外周４３及び上部４４を覆うようにソケット部４０に対して着脱可能に設けられている。また、ＬＥＤユニット８０は、アウターソケット部６０に設けられた取付部６２に対して着脱可能に取り付けられている。また、カバー９０は、ＬＥＤユニット８０を覆うようにアウターソケット部６０に対して着脱可能に設けられている。
以下、ブラケット部２０、ソケット部４０、アウターソケット部６０、ＬＥＤユニット８０、及び、カバー９０について、詳細に説明する。
【００２２】
図４に示すように、ブラケット部２０は、円形状の平板部２２と、平板部２２から上側（図４では左側）に延びる３つの筒状の突出部２４と、平板部２２の外周から上側に延びる３つのソケット固定部２８とを備える。
【００２３】
図２に示すように、平板部２２の下面（図４では右側）には、３つの給電用ケーブル挿入口３０が設けられている。
【００２４】
図４に示すように、３つの突出部２４は、それぞれ給電用ケーブル挿入口３０に対応して設けられており、突出方向内部に第１の貫通孔２６を有する筒状である。つまり、給電用ケーブル挿入口３０と第１の貫通孔２６とは連通している。
【００２５】
図４に示すように、３つのソケット固定部２８は、Ｕ字状であり、平板部２２の外周に等間隔に設けられている。ソケット固定部２８には、ソケット部４０の外周４３に設けられた第１の突起４６又は第２の突起４８が係止される（図４、図５参照）。第１の突起４６は、ブラケット部２０から遠い側に設けられており、第２の突起４８は、ブラケット部２０から近い側に設けられている。
【００２６】
図６、図７に示すように、ソケット部４０は、ブラケット２０の突出部２４の外周に嵌合する凹部５０を有しており、凹部５０には、第２の貫通孔５１が設けられている。
【００２７】
図４、図７に示すように、ブラケット２０の突出部２４とソケット部４０の凹部５０との間には、Ｏリング５２が設けられている。
【００２８】
図４、図５、図７に示すように、ソケット部４０の上部４４には、ＬＥＤ８２に給電するための金具５５が設けられている。金具５５は、金属製であり、上部４４よりも下側に給電用ケーブル１００のリード線１０２を挟み込んで固定する固定部５６と、上部４４よりも上側にＬＥＤユニット８０と電気的に接続するための端子部５７とを有する。
【００２９】
ここで、給電用ケーブル１００を光源体１０に装着する方法について説明する。図１０は、給電用ケーブルを挿通させる前の、ソケット部とブラケット部との位置関係を示す斜視図であり、図１１は、給電用ケーブルを挿通させた後の、ソケット部とブラケット部との位置関係を示す斜視図である。また、図１２は、図１１の状態での光源体の断面図である。ただし、図１０、図１１では、給電用ケーブルを図示していない。なお、図４、図１２に示すように、給電用ケーブル１００は、リード線１０２とリード線１０２を覆う絶縁被覆１０４とで構成されており、先端部分においては、絶縁被覆１０４が取り除かれ、リード線１０２が露出している。
【００３０】
まず、給電用ケーブル１００を挿通させる前の段階では、図１０に示すように、ブラケット部２０をソケット部４０に対して完全には嵌め込まれていない状態にする。図１０では、ソケット固定部２８が、第２の突起４８に係止されている。Ｏリング５２は、突出部２４と凹部５０との間に設けられているが、図１０の状態では、Ｏリング５２は、押しつぶされていない。
【００３１】
この状態で、給電用ケーブル１００がブラケット部２０の給電用ケーブル挿入口３０から挿入されると、第１の貫通孔２６とＯリング５２と第２の貫通孔５１とを連通するように給電用ケーブル１００が挿通される。Ｏリング５２の内径は、給電用ケーブル１００の外径よりわずかに小さく設定されている。従って、図１０の状態では、給電用ケーブル１００は、第１の貫通孔２６とＯリング５２と第２の貫通孔５１とを連通するように挿通可能である。
【００３２】
ここで、金具５５が備える固定部５６は、給電用ケーブル１００が挿入される方向に対して斜めに配置された板部５８と板部５８に設けられた穴５９とを有する（図３、図７参照）。穴５９の形状としては、矩形状であっても円形状であってもよい（本実施形態では、矩形状）。板部５８は、穴５９を２分割するようにスリット５８ａが設けられている。ブラケット部２０側から挿入された給電用ケーブル１００がさらに押し込まれ、リード線１０２が板部５８に押し当てられると、まず、リード線１０２の径の一部が穴５９に入り込む。そして、さらに、リード線１０２が押し込まれると、板部５８が押し広げられる。その後、リード線１０２の全部が穴５９内に入ると、板部５８は弾性変形された状態から元の状態に戻ろうとする。これにより、リード線１０２が挟み込まれ、給電用ケーブル１００が金具５５に確実に接続される。
【００３３】
次に、図１１、図１２に示すように、ブラケット部２０をソケット部４０に近づける方向に押し込み、ソケット固定部２８を、第１の突起４６に係止させる。図１１、図１２の状態では、Ｏリング５２が突出部２４と凹部５０との間に挟まれて押し潰されている。そのため、図１１、図１２の状態では、給電用ケーブル１００の外径に比較して、Ｏリング５２の内径が小さくなり、給電用ケーブル１００がＯリング５２に対して摺動できない状態となる。従って、給電用ケーブル１００が光源体１０から抜けてしまうことをより確実に防止することができる。また、Ｏリング５２が潰された状態となり、給電用ケーブル１００を締めつけているため、ソケット構造体１２の外部から（特に、給電用ケーブル挿入口３０側から）、内部への水の浸入路が遮断される。従って、防水性に優れる。
つまり、本実施形態に係る光源体１０では、Ｏリング５２にケーブル１００を挿入した後、ブラケット部２０でＯリング５２を圧縮する事で、ソケット部４０内部への水の侵入を防ぐ構造になっている。より具体的に説明すると、Ｏリング５２の圧縮によりＯリング５２の内径側でケーブル１００との防水を満たし、また、ソケット部４０との防水を満たしている。Ｏリング５２の材質としては、特に限定されないが、防水性の観点から、ゴム材が好ましい。なお、ソケット構造体１２から給電用ケーブル１００を取り外す際には、棒状のジグ等を用いて板部５８が押し広げれば、容易に取り外すことができる。
【００３４】
以上、給電用ケーブル１００を光源体１０に装着する方法について説明した。
【００３５】
図３、図４、図５に示すように、端子部５７は、ソケット部４０の上部４４から上側に突出し、アウターソケット部６０の内部に達している。端子部５７は、２対の板状体５７ａからなり、先端に屈曲部５７ｂが形成されている。端子部５７は、ＬＥＤユニット８０を２対の板状体５７ａにより挟み込んで固定することができる。
【００３６】
図４、図５に示すように、ソケット部４０の上側外周には、Ｏリング７０が設けられており、Ｏリング７０が設けられた箇所よりも下側に、第３の突起４９が形成されている。
【００３７】
図４、図８に示すように、アウターソケット部６０は、中空となっており、端子部５７が内部に配置される。また、アウターソケット部６０の上側には、ＬＥＤユニット８０を嵌め込むことが可能な溝が形成された取付部６２が設けられている。
【００３８】
アウターソケット部６０の下側側面には、矩形状の穴６８が２箇所形成されている。アウターソケット部６０の下側の内径は、Ｏリング７０の外径よりもわずかに小さく設定されており、アウターソケット部６０をソケット部４０の上側に押し込むとＯリング７０が押し潰され、アウターソケット部６０内部が気密状態となる。さらにアウターソケット部６０をソケット部４０側に押し込むと、アウターソケット部６０の穴６８がソケット部４０の第３の突起４９に係止される。これにより、アウターソケット部６０の脱落を防止することができる。Ｏリング７０の材質としては、特に限定されないが、防水性の観点から、ゴム材が好ましい。
【００３９】
図９に示すように、ＬＥＤユニット８０は、ＬＥＤ８２（本実施形態では、砲弾型ＬＥＤ）と、ＬＥＤケース８６とを有する。ＬＥＤ８２は、本発明の電気部品、及び、光源に相当する。
【００４０】
ＬＥＤ８２は、発光部８３と発光部に給電するためのリードフレーム８４とを有する。
【００４１】
ＬＥＤケース８６は、有底筒状の台座部８６ａと台座部８６ａの底から連続的に形成された直方体状の固定部８６ｂとを有する。
【００４２】
台座部８６ａの凹部には、ＬＥＤ８２の発光部８３の下端が嵌め込まれている。また、前記凹部には、固定部８６ｂの下端まで貫かれている貫通穴８８が設けられており、貫通穴８８にリードフレーム８４が挿通されている。リードフレーム８４は、貫通穴８８に挿通された後、ＬＥＤケース側面側に折り返されている。なお、リードフレーム８４は、２本あり、１本のリードフレーム８４が一方の側面側に折り返され、他方のリードフレーム８４がもう一方の側面側に折り返されている。なお、側面には、溝８６ｃが設けられており、リードフレーム８４は、溝８６ｃに沿って折り返されている。
【００４３】
図３、図４に示すように、ＬＥＤユニット８０は、固定部８６ｂの部分がアウターソケット部６０の取付部６２に嵌め込まれている。このとき、金具５５の端子部５７がリードフレーム８４に接触するように配置される。具体的には、取付部６２に形成された突条に、ＬＥＤユニット８０の溝８６ｃが対応するように嵌め込まれ、リードフレーム８４が、端子部５７の板状体５７ａに挟まれるように配置される。ＬＥＤケース８６の側面には、わずかな凹部８６ｄ（図９参照）が設けられており、板状体５７ａの先端に設けられた屈曲部５７ｂが当接している。これにより、ＬＥＤユニット８０がアウターソケット部６０から脱落することを防止している。
【００４４】
図４、図８に示すように、アウターソケット部６０の上側外周には、Ｏリング７１が設けられており、Ｏリング７１が設けられた箇所よりも下側に、第４の突起６６が形成されている。
【００４５】
図４に示すように、カバー９０は、アウターソケット部６０側のみが開口している筒状であり、下側側面の２箇所に矩形状の穴９２が形成されている。カバー９０の内径は、Ｏリング７１の外径よりもわずかに小さく設定されており、カバー９０をアウターソケット部６０の上側に押し込むとＯリング７１が押し潰され、カバー９０内部が気密状態となる。さらにカバー９０をアウターソケット部６０に押し込むと、カバー９０の穴９２がアウターソケット部６０の第４の突起６６に係止される。これにより、カバー９０の脱落を防止することができる。Ｏリング７１の材質としては、特に限定されないが、防水性の観点から、ゴム材が好ましい。
【００４６】
以上、ソケット構造体１２、及び、光源体１０によれば、第１の貫通孔２６と第２の貫通孔５１とＯリング５２とを連通させるように給電用ケーブル１００を挿通させることが可能であるため、ソケット構造体１２の外部からソケット構造体内部に給電用ケーブル１００を着脱することが可能である。給電用ケーブル１００をソケット構造体１２に対して着脱可能であるため、複数の光源体１０（ソケット構造体１２を有する光源体１０）を接続する場合は、給電用ケーブル１００を所望の長さのものとした後、接続すればよい。また、複数の光源体１０の間隔を変更する際には、給電用ケーブル１００を外して長さを調整した後、再び装着すればよい。また、光源体１０の数を変更する際には、光源体１０や給電用ケーブル１００の数を増やしたり減らしたりした後、給電用ケーブル１００を再び装着すればよい。このように、ソケット構造体１２、及び、光源体１０によれば、光源体１０の間隔や数を容易に変更することを可能となる。
また、突出部２４と凹部５０との間にＯリング５２が設けられており、第１の貫通孔２６と第２の貫通孔５１とＯリング５２とを連通させるように給電用ケーブル１００を挿通させることが可能であるため、給電用ケーブル１００を挿通させた状態にすると、ソケット構造体１２の外部から、内部への水の浸入路が遮断される。従って、防水性に優れる。
【００４７】
また、ソケット構造体１２、及び、光源体１０によれば、ソケット部４０とアウターソケット部６０との間に、Ｏリング７０が設けられているため、ソケット部４０とアウターソケット部６０との接続部分から、内部への水の浸入路が遮断される（図１２参照）。従って、ソケット構造体１２全体の防水性により優れる。また、アウターソケット部６０は、内部にも取付部６２の一部を有しているため、特に、内部側からの取付部６２への水の浸入を抑制することができる。
【００４８】
また、光源体１０によれば、取付部６２に交換可能にＬＥＤ８２が取り付けられているため、例えば、所望の色を発するＬＥＤ８２に容易に変更することができる。また、光源（ＬＥＤ）に不具合が生じた場合（例えば、長期間使用による劣化等の場合）に容易に交換することができる。
【００４９】
また、光源体１０によれば、ＬＥＤ８２を覆うカバー９０を備え、カバー９０とアウターソケット部６０との間に、Ｏリング７１が設けられているため、カバー９０とアウターソケット部６０との接続部分から、内部への水の浸入路が遮断される（図１２参照）。従って、光源体１０全体の防水性により優れる。
【００５０】
上述した実施形態では、給電用ケーブル挿入口３０が３つの場合について説明した。例えば、複数の光源体１０を並列に接続する場合に、本実施形態のように３端子用（例えば、プラス側を２芯、マイナス側を１芯）として使用することができる。ただし、本発明において給電用ケーブル挿入口は、３つに限定されない。例えば、２端子用（例えば、プラス側１芯、マイナス側１芯）として使用する場合、２つであってもよい。なお、３つの給電用ケーブル挿入口のうちの１つを樹脂等で塞ぎ、２端子用として使用してもよい。
【００５１】
上述した実施形態では、本発明の光源が、ＬＥＤ８２である場合について説明した。しかしながら、本発明における光源は、給電されることにより光を発するものであれば、ＬＥＤに限定されない。例えば、フィラメント等の発光素子を有する電球や、レーザ素子等であってもよい。
【００５２】
上述した実施形態では、本発明の電気部品が、光源（ＬＥＤ８２）である場合について説明した。しかしながら、本発明における電気部品は、給電されることにより何からの機能を発揮するものであれば、光源に限定されない。前記電気部品としては、例えば、抵抗（特に、制限抵抗）が挙げられる。例えば、複数のソケット構造体を直列に接続したラインを複数準備し、複数のラインを並列方式で接続する場合、各ラインごとに、光源体と制限抵抗とを有する構成とすれば、輝度ムラを抑制することが可能となる。具体的に、複数のソケット構造体のうち、一部のソケット構造体に、光源を取り付け、他のソケット構造体に、制限抵抗を取り付ける方法が挙げられる。前記電気部品の他の例としては、例えば、各種センサ（例えば、赤外線センサ等）等が挙げられる。
【００５３】
上述した実施形態では、ソケット構造体を複数接続して使用する場合について説明した。しかしながら、本発明のソケット構造体は、複数接続せず、単独で使用してもよい。単独で使用する場合であっても、給電用ケーブルの長さを容易に変更することができ、かつ、防水性に優れるソケット構造体を提供できるからである。
【００５４】
上述した実施形態では、アウターソケット部６０とＬＥＤユニット８０とカバー９０とがそれぞれ着脱可能である場合について説明した。しかしながら、本発明においては、この例に限定されず、アウターソケット部とＬＥＤユニットとカバーとが一体となっており、着脱不可能であってもよい。例えば、アウターソケット部とＬＥＤユニットとカバーとが接着剤による接着により一体となっていてもよく、アウターソケット部とＬＥＤユニットとカバーとが一体的に形成されることにより一体となっていてもよい。この場合、アウターソケット部とＬＥＤユニットとカバーとを一体としたユニットごとに交換が可能である。
【００５５】
上述した実施形態では、ブラケット部２０とソケット部４０とでＯリング５２を押し潰し、ソケット構造体１２の外部から（特に、給電用ケーブル挿入口３０側から）、内部への水の浸入路が遮断し、防水性を高める場合について説明した。しかしながら、本発明においては、Ｏリングは押し潰されない状態であってもよい。押し潰されていなくても、給電用ケーブルの外径に比較して、Ｏリングの内径をわずかに小さく設定すれば、電用ケーブル挿入口側から内部への水の浸入路が遮断されるため、防水性を備えるからである。また、金具により給電用ケーブルが固定されているため、給電用ケーブルの抜けも防止できるからである。ただし、Ｏリングは、本実施形態のように、ブラケット部とソケット部とで押し潰されている方が、防水性や固定の安定性の観点から好ましい。
【００５６】
上述した実施形態では、ソケット部が筒状である場合について説明した。なお、本明細書において、「筒状」とは、円筒状、及び、角筒状を含む。しかしながら、本発明におけるソケット部は、第１の貫通孔と第２の貫通孔とＯリングとを連通させるように給電用ケーブルを挿通させることが可能な空間が内部に存在していれば、その形状は特に限定されない。例えば、ソケット部の外径が矩形状であり、内径が円形状であってもよい。
【００５７】
上述した実施形態では、１つのソケット部に対して、１つのブラケット部が着脱可能である場合について説明した。しかしながら、本発明において、ソケット部は、ブラケット部を着脱することが可能であれば、この例に限定されない。例えば、１つのソケット部に対して、複数のブラケット部が着脱可能な構成となっていてもよい。このような構成であっても、ソケット構造体の外部から、内部への水の浸入路が遮断されるため、防水性に優れる。
【００５８】
以上、本発明の実施形態について説明したが、本発明は、上述した例に限定されるものではなく、本発明の構成を充足する範囲内で、適宜設計変更を行うことが可能である。
【符号の説明】
【００５９】
１０  光源体
１２  ソケット構造体
２０  ブラケット部
２２  平板部
２４  突出部
２５  底部
２６  第１の貫通孔
２８  ソケット固定部
３０  給電用ケーブル挿入口
４０  ソケット部
４３  外周
４４  上部
４６  第１の突起
４８  第２の突起
４９  第３の突起
５０  凹部
５１  第２の貫通孔
５２  Ｏリング
５５  金具
５６  固定部
５７  端子部
６０  アウターソケット部
６２  取付部
７０  Ｏリング
７１  Ｏリング
８０  ＬＥＤユニット
８２  ＬＥＤ
８６  ＬＥＤケース
９０  カバー
１００  給電用ケーブル
１０２  リード線
１０４  絶縁被覆
【図１】
2019046558.tif 000003
【図２】
2019046558.tif 000004
【図３】
2019046558.tif 000005
【図４】
2019046558.tif 000006
【図５】
2019046558.tif 000007
【図６】
2019046558.tif 000008
【図７】
2019046558.tif 000009
【図８】
2019046558.tif 000010
【図９】
2019046558.tif 000011
【図１０】
2019046558.tif 000012
【図１１】
2019046558.tif 000013
【図１２】
2019046558.tif 000014